(57)【要約】【課題】定点観測に用いて好適なデジタルスチルカメラ装置を提供する。【解決手段】参照用画像が設定された場合、システム制御部２は、参照用画像ファイルのヘッダー情報を読み出し、その内容を解析する。解析の結果、ズーム位置（焦点距離）情報が設定されていた場合には、相当する設定を撮像部３に行う。また、焦点位置（被写体距離）情報が設定されていた場合には、前述した画像処理部４で行われているフォーカスの調整状態を検知して、参照用画像の情報と比較する。システム制御部２は、比較の結果に基づきガイダンス表示用のグラフィックスデータを生成し、表示制御部５に設定する。【選択図】　　　　図１
2004112549.tif 000002
【特許請求の範囲】
【請求項１】
撮像した光画像を電気信号に変換する撮像手段と、
該撮像手段から得られる電気信号を処理する信号処理手段と、
撮影した画像データを記録媒体に記録すると共に、該画像データの撮影時にデジタルスチルカメラ装置に設定された設定データを該画像データと共に前記記録媒体に記録する記録手段と、
前記記録手段に記録された画像を選択する選択手段と、
選択された画像に対応する設定データを読み出す読出手段と、
読み出した設定データに基づき、前記撮像手段を設定する設定手段と、
を具備することを特徴とするデジタルスチルカメラ装置。
【請求項２】
撮像した光画像を電気信号に変換する撮像手段と、
該撮像手段から得られる電気信号を処理する信号処理手段と、
撮影した画像データを記録媒体に記録すると共に、該画像データの撮影時にデジタルスチルカメラ装置に設定された設定データを該画像データと共に前記記録媒体に記録する記録手段と、
前記記録手段に記録された画像を選択する選択手段と、
選択された画像に対応する設定データを読み出す読出手段と、
読み出した設定データと、現在の前記撮像手段の設定との差分を検出する手段と、
前記差分に基づいたガイダンスを表示する手段と、
を具備することを特徴とするデジタルスチルカメラ装置。
【請求項３】
前記設定データはズーミング情報であることを特徴とする請求項１または２記載のデジタルスチルカメラ装置。
【請求項４】
前記設定データはフォーカシング情報であることを特徴とする請求項１または２記載のデジタルスチルカメラ装置。
【請求項５】
前記設定データは撮影位置情報であることを特徴とする請求項１または２記載のデジタルスチルカメラ装置。
【発明の詳細な説明】
【０００１】
【発明の属する技術分野】
本発明は、デジタルスチルカメラ装置に関する。
【０００２】
【従来の技術】
従来、例えばスチルカメラ装置においては、シャッタースピード、絞り値といった装置側における各種の撮影条件を自動的に設定したり、又は撮影者の好みに応じて手動で設定したりできるようになっている。さらに、ポートレート、風景、夜景といった被写体の種別に適した撮影条件を自動的に設定する複数の撮影モードを用意しておき、かかる撮影モードを事前に撮影者に選択させることにより、シャッタースピード、絞り値等の専門的な知識を有していない初心者等であっても、より適切な撮影条件が設定できるようにしたものが多い。
【０００３】
被写体に応じてより適切な撮影条件を容易に設定することができるカメラ装置として、以下に示す特許文献１に開示されたものが知られている。
【０００４】
【特許文献１】
特開２００２−１０１３３号公報
【０００５】
特許文献１に開示されたカメラ装置は、被写体の種別に応じた複数の撮影モードが設定可能なカメラ装置であって、撮影モード毎に応じて撮影時における装置の撮影条件を制御する制御手段と、撮影モードに対応する被写体の見本となる複数の見本画像を記憶する見本画像記憶手段と、この見本画像記憶手段に記憶された見本画像を表示する表示手段と、この表示手段に表示された何れかの見本画像を選択する選択手段と、この選択手段により選択された見本画像に対応する撮影モードを設定する設定手段とを備えたことを特徴としている。
【０００６】
【発明が解決しようとする課題】
しかしながら、定められた点を定期的に観測する定点観測においては、過去に撮影を行った位置情報、被写体距離、焦点距離等の情報が最も重要な情報となる。
【０００７】
本発明は上記事情に鑑みてなされたものであり、定点観測に用いて好適なデジタルスチルカメラ装置を提供することを目的とする。
【０００８】
【課題を解決するための手段】
係る目的を達成するために請求項１記載の発明は、撮像した光画像を電気信号に変換する撮像手段と、撮像手段から得られる電気信号を処理する信号処理手段と、撮影した画像データを記録媒体に記録すると共に、該画像データの撮影時にデジタルスチルカメラ装置に設定された設定データを該画像データと共に記録媒体に記録する記録手段と、記録手段に記録された画像を選択する選択手段と、選択された画像に対応する設定データを読み出す読出手段と、読み出した設定データに基づき、撮像手段を設定する設定手段と、を具備することを特徴とする。
【０００９】
請求項２記載の発明は、撮像した光画像を電気信号に変換する撮像手段と、撮像手段から得られる電気信号を処理する信号処理手段と、撮影した画像データを記録媒体に記録すると共に、該画像データの撮影時にデジタルスチルカメラ装置に設定された設定データを該画像データと共に記録媒体に記録する記録手段と、記録手段に記録された画像を選択する選択手段と、選択された画像に対応する設定データを読み出す読出手段と、読み出した設定データと、現在の撮像手段の設定との差分を検出する手段と、差分に基づいたガイダンスを表示する手段と、を具備することを特徴とする。
【００１０】
請求項３記載の発明は、請求項１または２記載の発明において、設定データはズーミング情報であることを特徴とする。
【００１１】
請求項４記載の発明は、請求項１または２記載の発明において、設定データはフォーカシング情報であることを特徴とする。
【００１２】
請求項５記載の発明は、請求項１または２記載の発明において、設定データは撮影位置情報であることを特徴とする。
【００１３】
【発明の実施の形態】
次に、添付図面を参照しながら本発明のデジタルスチルカメラ装置に係る実施の形態を詳細に説明する。図１及び図２を参照すると本発明のデジタルスチルカメラ装置に係る実施の形態が示されている。
【００１４】
デジタルスチルカメラ装置１は、システム制御部２と、撮像部３と、画像処理部４と、表示制御部５と、ＬＣＤ６と、記録メディアインターフェイス部７と、記録メディア８と、ハードキーインターフェイス部９と、ＧＰＳアンテナ部１０と、を具備する。
【００１５】
システム制御部２は、デジタルスチルカメ装置１全体の制御を行うために設けられた、メインＣＰＵ、メモリ、タイマ等からなる。
【００１６】
撮像部３は、撮像のために設けられた、光学系部品（レンズ及びレンズ駆動モータ）、ＣＣＤ、ＣＣＤ駆動回路、Ａ／Ｄ変換器等からなる。
【００１７】
画像処理部４は、撮像部３で得られた画像信号に種々の画像処理を施すと共に、撮像部３のＣＣＤ駆動タイミング、レンズ駆動モータを制御してフォーカシング、露出調整等を行い、また、画像の圧縮伸長を行うために設けられた、画像処理用ＤＳＰ（デジタルシグナルプロセッサ）、メモリ等からなる。
【００１８】
表示制御部５は、画像処理部４で処理された画像信号をＬＣＤへ表示するための信号処理を行い、また、ユーザインターフェイスのための種々のグラフィック画像を生成しＬＣＤへ表示するために設けられた、Ｄ／Ａ変換器、オンスクリーンディスプレイコントローラ等からなる。
【００１９】
ＬＣＤ６は、画像を表示し、また、ユーザーインターフェイスのためのグラフィックを表示するために設けられている。
【００２０】
記録メディアインターフェイス部７は、記録メディアとのインターフェイスのために設けられた、メモリカードコントローラ等からなる。
【００２１】
記録メディア８は、圧縮された画像信号や画像にまつわる種々の情報を記憶するために設けられた、フラッシュメモリ等からなる。記録メディアはデジタルスチルカメラ装置１から着脱可能に取り付けられている。
【００２２】
ハードキーインターフェイス部９は、サブＣＰＵ等からなり、図示しないキー、ダイヤル等のユーザインターフェイスの状態検出、また、メインＣＰＵへの主電源制御を行う。
【００２３】
ＧＰＳアンテナ部１０は、現在の位置を捕捉するために設けられている。
【００２４】
一般的な撮影動作を例に上記各機能部の動作について説明する。
利用者は撮影に先立ち、図示されていない種々のキー、ダイヤルを操作し、撮影モード（高画質モード、低画質モード等）を決定する。利用者の操作内容はハードキーインターフェイス部９を通じてシステム制御部２で判別される。システム制御部２は、操作に応じて表示制御部５へガイダンスグラフィックを生成して、利用者に次操作を促す。
【００２５】
また、システム制御部２は、撮影モードが決定されると、モードに応じた処理パラメータを画像処理部４へ設定する。
【００２６】
あるいはまた、利用者は図示されていないズームレバーを操作し、画角（構図）を決定する。利用者の操作内容はハードキーインターフェイス部９を通じてシステム制御部２で判別され、システム制御部２は、操作に応じて撮像部３を制御しレンズを駆動する。
【００２７】
撮像部３は画像処理部４からの制御に従い、実際の撮影に先だって、プレビュー画像を表示するための撮像動作を開始する。撮像されたデータは連続的に画像処理部４へ送られ、画像処理部４では色空間変換、ガンマ補正、ホワイトバランス調整などの処理を施した後、画像データを表示制御部５へ送る。また、この時同時に画像処理部４では、フォーカス、露出の検出を行い、撮像部３を制御して調整を行う。
【００２８】
表示制御部５では、画像データを信号処理してＬＣＤ６へ表示し、利用者へ撮像状態を提示する。
【００２９】
図示されていないレリーズボタンが押されると、その操作はモード設定と同様にしてハードキーインターフェイス部９を通じてシステム制御部２で判別される。撮像部３は画像処理部４からの制御に従い、所定の画像を取り込み画像処理部４へ送り、画像処理部４は、撮影モードに応じた画像処理、圧縮処理を行う。システム制御部２は、圧縮された画像データを読み出し、さらにヘッダー情報を付加した後、記録メディアインターフェイス部７を通じて記録メディアへ８書き込む。
【００３０】
ここで、ヘッダー情報には、選択された撮影モードの情報や撮影日時、ズーム位置（焦点距離）、焦点位置（被写体距離）、撮影位置（ＧＰＳ緯度、経度）の情報等が含まれている。
【００３１】
ヘッダー情報の例を表１、２、３、４に示す。デジタルカメラ用画像ファイルフォーマット規格（Ｅｘｉｆ）Ｖｅｒ２．１で策定されているヘッダー情報の一覧であり、同規格書からの抜粋資料である。
【００３２】
【表１】
2004112549.tif 000003
【００３３】
【表２】
2004112549.tif 000004
【００３４】
【表３】
2004112549.tif 000005
【００３５】
【表４】
2004112549.tif 000006
【００３６】
なお、撮影位置の情報は、システム制御部２がＧＰＳアンテナ部１０からの受信信号に基づき、所定のアルゴリズムを実行して得られる。
【００３７】
以上で一連の撮影動作を完了する。
【００３８】
次に、図２に示されたフローチャートを参照しながら本実施形態の動作手順を説明する。なお、図２には、撮影モード中での１回毎の撮影シーケンスが示されている。
【００３９】
撮影モードで、参照用画像が設定されていると、システム制御部２は参照用画像を再生して表示する（ステップＳ１）。再生は、画像ファイルを記録メディア８から記録メディアインターフェイス部７を通じて読み出し、画像処理部４で伸長処理を行うことで実行される。
【００４０】
参照用画像が設定されていない場合には（ステップＳ１／ＮＯ）、従来の通常の撮影処理が実行される（ステップＳ３）。なお、参照用画像の設定は、前述した撮影モードの設定と同様にしてあらかじめ設定されている。
【００４１】
続いてシステム制御部２は、再生時と同様にして参照用画像ファイルのヘッダー情報を読み出し、その内容を解析する（ステップＳ４）。解析の結果、ズーム位置（焦点距離）情報が設定されていた場合には（ステップＳ５／ＹＥＳ）、相当する設定を撮像部３に行う（ステップＳ６）。
【００４２】
また、焦点位置（被写体距離）情報が設定されていた場合には（ステップＳ７／ＹＥＳ）、前述した画像処理部４で行われているフォーカスの調整状態を検知して（ステップＳ８）、参照用画像の情報と比較する。システム制御部２は、比較の結果に基づきガイダンス表示用のグラフィックスデータを生成し、表示制御部５に設定する（ステップＳ９）。
【００４３】
ここでガイダンス表示の内容は、
（参照用画像の被写体距離）＜（現在の被写体距離）である場合には、
”もっと近づいてください”
（参照用画像の被写体距離）＞（現在の被写体距離）である場合には、
”もっと離れてください”
といった文字データ、あるいは同内容を示唆するアイコンなどである。
【００４４】
同様にして、撮影位置（ＧＰＳ緯度、経度）情報が設定されていた場合には（ステップＳ１０／ＹＥＳ）、前述した手順で現撮影位置を検出し（ステップＳ１１）、参照用画像の情報と比較する。システム制御部２は、比較の結果に基づきガイダンス表示用のグラフィックスデータを生成し、表示制御部５に設定する（ステップＳ１２）。ここでガイダンス表示の内容は、緯度経度の比較結果に基づいた、東西南北への進行方向を示す文字データ、あるいはアイコンなどである。
【００４５】
レリーズボタンが押されると、前述した手順で撮像、記録が実行される（ステップＳ１３）。
【００４６】
本実施形態では、撮影位置の検出に当たってはカメラの向きを検出していないが、適当なデバイスを装備し検出を行うことで、例えば”右向き”、”左向き”、”上向き”、”下向き”といったガイダンス表示を行うことも可能である。
【００４７】
このように本実施形態は、参照用画像に対応した撮影時の設定を復元するように構成されているので参照画像と等しい撮影条件での撮影が可能となる。
【００４８】
なお、上述した実施形態は本発明の好適な実施の形態である。但し、これに限定されるものではなく、本発明の要旨を逸脱しない範囲内において種々変形実施が可能である。
【００４９】
【発明の効果】
本発明請求項１の装置においては、記録媒体に記録された画像に対応した撮影時の設定を復元するように構成されているので、定点観測の目的の撮影に当たって、等しい撮影条件での撮影が可能になるという効果がある。
【００５０】
本発明請求項２の装置においては、記録媒体に記録された画像に対応した撮影時の設定と現在の設定とを比較し、差分に基づいたガイダンス表示を行うように構成されているので、定点観測の目的の撮影に当たって、等しい撮影条件での撮影が可能になるという効果がある。
【００５１】
本発明請求項３の装置においては、ズーミング情報を復元できるように構成されているので、定点観測の目的の撮影に当たって、等しい画角での撮影が可能になるという効果がある。
【００５２】
本発明請求項４の装置においては、フォーカシング情報位置を復元できるように構成されているので、定点観測の目的の撮影に当たって、等しい画角での撮影が可能になるという効果がある。
【００５３】
本発明請求項５の装置においては、撮影位置情報を復元できるように構成されているので、定点観測の目的の撮影に当たって、等しい画角での撮影が可能になるという効果がある。
【図面の簡単な説明】
【図１】本発明に係る実施形態の構成を示すブロック図である。
【図２】動作手順を示すフローチャートである。
【符号の説明】
１　デジタルスチルカメラ装置
２　システム制御部
３　撮像部
４　画像処理部
５　表示制御部
６　ＬＣＤ
７　記録メディアインターフェイス部
８　記録メディア
９　ハードキーインターフェイス部
１０　ＧＰＳアンテナ部
【図１】
2004112549.tif 000007
【図２】
2004112549.tif 000008